(57)【要約】      （修正有）【課題】玉状の荷造り用紐を切る時に紐玉が転がったり絡まったりせず、また床や台の上に置いても、壁や天井に掛けても、手や腰ベルトで携行しても使用可能なものの提供。【解決手段】玉状の紐２を容器１に入れ、その蓋３には紐穴５とスリット６、カッター７とを、本体４にはその底面裏側に板状フック１４を設ける。板状フック１４にはビス類等に掛ける為の係止穴を開け、また板状フック１４と本体４の底面との間には腰ベルト等への係止用のベルトスペースを設ける。紐穴５は紐２取り出し用。スリット６は切断時の紐ロック用。カッター７は刃を保護部１１で覆った安全なもの。紐２の切断は、紐２をカッター７の左側より保持部１０と保護部１１との間へ引き込み、保持部１０と保護部１１の間に設けた刃で行う。必要長さが容易に切断出来る。容器１は置いても掛けても携行しても使い易く、特に携行しながらの作業には好適。【選択図】図１
0003134389.tif 000002
【実用新案登録請求の範囲】
【請求項１】
荷造り用の紐２を収納する容器１において、該容器１の蓋３に該紐２を取り出す為の紐穴５及び該紐２を切断する為のカッター７を設け、更に該紐２を収納する容器１の本体４の底面裏面側に板状フック１４を設けた事を特徴とする携帯式紐収納容器。
【請求項２】
上記紐穴５に、上記カッター７方向に向け切り込んだ細長状のスリット６を設けた事を特徴とする請求項１に記載の携帯式紐収納容器。
【請求項３】
上記カッター７が、紐切断用の刃８と該刃８を固定保持する為の保持部１０と該刃８の刃先９を覆う保護部１１とから成るものであって、該刃８の該保持部１０への固定保持は該刃８の刃先９とは反対側の部分を保持させ、更に該刃８の刃先９を該保護具１１で紐２が通り得るスペースを残して覆うと共に、該保持部１０と該保護部１１との間に紐２は通るが幼児の小指以上のものは挿入できないスペースのガイドスペース１２を設けた事を特徴とする請求項１から請求項２に記載の携帯式紐収納容器。
【請求項４】
上記紐２を収納する容器１の本体４の底面裏面側に上記板状フック１４を設けるに際し、該板状フック１４と該本体４の底面裏面側との間にベルト類挿入用のベルトスペース１５を設けると共に、該板状フック１４に係止穴１６を設ける事を特徴とする請求項１から請求項３に記載の携帯式紐収納容器。
【請求項５】
上記紐２を収納する容器１に吊下げ用金具２１を設けた事を特徴とする請求項１から請求項４に記載の携帯式紐収納容器。
【考案の詳細な説明】
【技術分野】
【０００１】  本考案の携帯式紐収納容器は、荷造り用の玉状に巻かれた紐を容器の中に収納し、その紐を容器に装着のカッターで必要長さ切断出来ると共に、容器は床面や台の上に置いても、更には壁面や天井等のネジ類等に係止しても使用出来、また手で持ち或は腰のベルト等に係止して携行使用も出来るという特徴を有するものである。
【背景技術】
【０００２】  荷造り用紐をカッター装着の容器や箱の中に収納し必要長さを切断出来る様にしたものについては、下記に示す特許文献１，２，４，５の様な提案がなされている。しかし、これらには腰のベルト等に係止し携行しながら使用出来る工夫はなされていない。【０００３】  一方、特許文献３では紐を収納した容器を背負ったり手に提げたりして運搬出来る様に工夫されている。しかし、腰のベルト等に係止しての携行の工夫はなく、また紐のカットには鋏を使用し、大変使いづらく不便な面がある。【０００４】
【特許文献１】特開平７−２９１２９６
【特許文献２】特開２００４−１６１３６５
【特許文献３】実用新案登録第３０２８７０９号
【特許文献４】実用新案登録第３０３２７２６号
【特許文献５】実用新案登録第３０７２７９８号
【考案の開示】
【考案が解決しようとする課題】
【０００５】  荷造り用紐を容器等に収納し、その容器等に装着のカッターで必要長さ切断するものについては前述の特許文献１，２，４，５の様に提案されている。しかし、この容器を壁や天井等のビス等に引っ掛け使用出来る様にしたものや腰のベルト等に係止し持ち運び出来る様にしたものについてはまだ見当たらない。【０００６】  そこで、本考案は、荷造り用紐を収納した容器を床面や台の上に置いた状態でも、壁や天井のビスやフック、釘、鋲等に係止した状態でも、手で持ったり腰のベルト等に係止し携行した状態でも使用でき、且つ容器に装着のカッターで必要長さの紐を容易に切断出来るものを提供する事を目的としたものである。
【課題を解決するための手段】
【０００７】  本考案では、上記課題を、荷造り用の紐２を収納する容器１の蓋３に、その紐２を取り出す為の紐穴５及びその紐２を切断する為のカッター７を設け、更にその紐２を収納する容器１の本体４の底面裏面側に板状フック１４を設ける方法により解決した。【０００８】  更に、上記紐穴５に、上記カッター７方向に向け切り込んだ細長状のスリット６を設ける方法により解決した。【０００９】  更には、上記カッター７が、紐切断用の刃８とその刃８を固定保持する為の保持部１０とその刃８の刃先９を覆う保護部１１とから成るものであって、その刃８の保持部１０への固定保持に際しては刃８の刃先９とは反対側の部分を保持させ、更にその刃８の刃先９を保護具１１で紐２が通り得るスペースを残して覆うと共に、その保持部１０と保護部１１との間に紐２は通るが幼児の小指以上のものは挿入できないスペースのガイドスペース１２を設ける方法により解決した。【００１０】  また更には、上記紐２を収納する容器１の本体４の底面裏面側に上記板状フック１４を設けるに際し、その板状フック１４と本体４の底面裏面側との間にはベルト類挿入用のベルトスペース１５を設けると共に、その板状フック１４に係止穴１６を設ける方法により解決した。【００１１】  また更には、上記紐２を収納する容器１に吊下げ用金具２１を設ける方法により解決した。
【考案の効果】
【００１２】  荷造り用紐収納容器に、紐引き出し用の紐穴、スリット、カッター、板状フック等を設ける考案を行った結果、次の様な効果が得られた。
▲１▼玉状に巻いた紐を入れた容器に紐穴とカッターを設けたので、両者は一体化し荷造り作業がスムーズになった。また、紐穴に隣接し細長状のスリットを設けたので、切断時に紐がロックされ必要長さの切断がスムーズに行える様になった。【００１３】▲２▼カッターの刃先を保護部で覆い、その保護部と刃の保持部との間の隙間を幼児の小指も挿入できない程度の狭さとしたので、大人から子供まで常時大変安心して安全に使用出来る様になった。
▲３▼容器の蓋に紐穴とカッターを設け、それらと反対側となる容器の本体の底面裏面側に係止穴付の板状フックを設けた結果、手で持ったり床面や台等の上に置いたりして使用出来るだけでなく、壁等のビスや釘、鋲等に係止した状態でも、腰のベルト等に係止しても使用出来る様になった。【００１４】▲４▼板状フックと本体の底面との間にベルトスペースを設けたので、腰ベルト等に係止しての携行作業も出来る様になった。その際、板状フックを設ける位置等にも工夫したので紐の引出しや切断が片手でも出来、更には蓋にはカッターも設けたので紐の切断にわざわざ鋏等を別途使用する必要もなく、移動しながらの作業が大変スムーズに出来る様になった。
▲５▼吊下げ用金具を設けた結果、指や棒状物、突起状物、天井面のフック類等へも係止出来る様になり、作業性が大幅に向上した。
【考案を実施するための最良の形態】
【００１５】  荷造り用の玉状の紐は、鋏を使用し切ったりすると玉があちこちへ転んで行ったり、紐が解けてもつれたりするので、それを防止すると共に、床や台の上に置いても使用でき、更には壁面や腰のベルト等に引っ掛けても使える方法につき種々検討の結果、玉状の紐を容器に収納し、それに紐引出し用穴やカッター、板状フック等を設ければ目的を達する事を見出した。【００１６】  玉状の紐２を容器１の本体４に入れ、それに紐穴５とカッター７を設けた蓋３をかぶせ、紐２はその紐穴５から引出してカッター７で切断するようにする。そうする事により、玉の転がりとか解けてもつれたりする事はなくなった。ただ、単に紐穴５とカッター７を設けただけでは、手で持ったり或は床や台の上に置いての使用には便利であるが、壁面に掛けての使用には不便であり、また場所を移動しての作業の時などその都度作業を中断し容器１を手等で移動させなければならないという不便さもある。【００１７】  そのため種々検討の結果、ビスや釘、鋲類等に引っ掛けて係止する為の係止穴１６を穿ったフックを、容器１の本体４の底面裏側に設ける事により上記問題点をも解決するに至った。フックとしては、そこに係止穴１６を設ける事が出来、且つ本体４の底面とこのフックとの間に腰のベルト類を安定的に挟み込み携行できる形状のものが適していて、種々検討の結果、板状形をした板状フック１４が適している事を見出した。【００１８】  この板状フック１４は、腰ベルトに係止した時の紐２の引き出しや切断の作業性を勘案し、紐穴５とカッター７とを設けた蓋３とは反対側の面となる本体４の底面裏面側に設ける。このような位置関係で設ける事により、紐２は片手でも容易に引き出し切断出来、移動作業が極めて能率的となった。なお、板状フック１４と本体４の底面との間にはベルト類を挟む為のスペースとなるベルトスペース１５を確保する様に設ける。また、この容器１に吊下げ用金具２１を設けた結果、指や棒状物、突起状物、天井面のフック類等へも係止出来る様になった。【００１９】  紐穴５はそこから紐２を引出す為のものであるので、紐２がそこをスムーズに通る形状や大きさが必要である。しかし、その場合カッターで切断しようとすると、紐２はズルズルと紐穴５から引出されてきて必要長さ以上になってしまう時があり不便である。その防止の為、紐穴５に隣接し細長状のスリット６をカッター７の方向に向けて切込んでおくと使い易くなる。こうすれば、紐２はスリット６に挟み込まれロックされた状態となりそれ以上引出される事もなく、必要長さでの切断が大変容易となる。【００２０】  カッター７としては、刃８のみを蓋３に設けても紐２の切断用としては問題ないが、刃８が剥き出しのままでは使用時や保管時等に手などを誤って切ったりする危険がある。その為、刃８特に刃先９の部分を被覆した構造のカッターを使用すれば怪我の心配もなくなり更に使い易いものとなる。即ち、カッター７としては刃８とその保持部１０と保護部１１とから成るもので、保持部１０で刃８を固定保持し、保護部１１で刃８を覆い危険性のない構造のものの使用である。【００２１】  保持部１０での刃８の保持は、紐２を切断するに必要な刃８の刃先９の部分とは反対側の部分を保���部１０に嵌めこんだり挟み込んだり等でしっかりと固定される様にする。保護部１１での刃８の覆いは、保持部１０で保持されず露出された状態の刃先９等を、刃先９の上方側から保護部１１で覆うように被せて刃先９が露出のままでない様にする。その際、刃先９での紐２の切断に支障がない様に、保護部１１と刃先９との間には紐２が通るだけのスペースは確保する。【００２２】  なお、保持部１０と保護部１１とは刃８を上下から挟む様な形となるが、この両者の間隔が狭すぎると紐２が通らなくなり刃８での紐２の切断に支障が生じる。広すぎると指等を誤ってそこへ入れてしまい怪我し危険である。その為、その間隔をガイドスペース１２とし、紐２は通るが幼児の小指以上の大きさのものは挿入出来ない様な狭い間隔とする。更に、保護部１１が刃先９と対峙する面に刃先９をドーム状にカバーする様なドーム状切込み１３を設ければ、刃８は外側からほとんど見えなくなり一層安全で使い易いものとする事が出来る。
以下、実施例にもとづき本考案について更に説明する。
【実施例１】
【００２３】  本実施例は、紐２の収納用の容器１に紐穴５、スリット６、カッター７、板状フック１４を設けた本考案の携帯式紐収納容器の実施例で、図１から図１１にその実施例図を示す。【００２４】  図１はその携帯式紐収納の容器１の斜視図を、図２はその正面図を、図３は平面図を、図４は底面図を、図５は図３に示すＸ−Ｘ′視野での断面図を示す。また、図６は紐穴５とスリット６の平面図を、図７は板状フック１４の斜視図を、図８はカッター７の斜視図（図８の（イ）はカッター７全体の斜視図、（ロ）は刃８を保持部１０に保持固定させた状態の斜視図、（ハ）は保護部１１の斜視図、（ニ）はその保護部１１を下方から見た斜視図（底面側からの斜視図））を示す。図９にはカッター７での紐２の切断要領の斜視図を、図１０及び図１１には板状フック１４を使用し係止の実施例図を示す。【００２５】  本実施例で示す考案品は、図１〜図５に示す様に、紐２を収納の本体４と蓋３とから成る容器１であって、蓋３は蝶ナット２０で本体４に取付け、その蓋３には紐穴５とスリット６、カッター７を設け、本体４の方には板状フック１４をビス１９で取り付けたものである。本体４はその中に玉状の紐２を収納可能な大きさと形状のものであって、紐２を出し入れ出来る開口部を有するものであればよく、また蓋３はその開口部を覆うもので、玉状の紐２を本体４の中に入れる為に着脱可能に本体４に装着させる。【００２６】  紐２を容器１から必要長さ引出す為の穴として図６に示す紐穴５を、図１〜図５に示す様に、蓋３の端部に貫通させ設ける。その際、細長状のスリット６を図の様にその紐穴５に隣接しカッター７の方に向け切り込み設ける。紐穴５は、紐２が自由に引出せる様に紐２よりも大きく開口しておく。しかし、スリット６は、ここに紐２がロックされ必要以上に引出されない様にする為のものであるので、細長いスリット状に切込んでおく。【００２７】  カッターとしては、刃８の部分を保護した安全なカッター７を使用した。カッター７は刃８、保持部１０、保護部１１から成るもので、その全体の斜視図を図８の（イ）に、保持部１０と保護部１１とを切離したものを図８の（ロ）〜（ニ）に示す。刃８及び保持部１０を（ロ）に示しているが、刃８はその刃先９の反対側の部分を保持部１０でしっかり挟み込み保持固定する。（ハ）及び（ニ）に保護部１１を示すが、この保護部１１が刃先９に対峙する面には、刃８をカバー保護する為のドーム状切込み１３を（ニ）に示す様に設ける。【００２８】  上記保護部１１を（ロ）の保持部１０に刃８を挟む様な形で上方から被せ、ボルト穴１７を合わせて両者をボルトで緊結して（イ）のカッター７を形成する。この時、刃先９と保護部１１のドーム状切込み１３との間には紐２が通る隙間を確保する様に切込んでおく。なお、（ロ）の図で刃８はその右側の方が高くなる様に傾斜をつけているが、この様にして刃先９と保護部１１との隙間が右の方（奥の方）で狭くなる様にしておけば、紐２の切断が容易となる為である。【００２９】  保持部１０と保護部１１とは、図８の（イ）に示す様に、刃８を挟む様な形で重ね合わせボルト穴１７の部分をボルトで緊結する。このボルトで緊結の部分以外の３つの側面部分に紐２が���入出来るスペースをガイドスペース１２として設けた。このガイドスペース１２から紐２を刃８の部分に挿入し切断する。このガイドスペース１２は、紐２は通るが幼児の小指以上のものは挿入出来ない間隔とする。大略５ｍｍ程度以下であれば幼児の小指も挿入出来ないので、この程度以下とする。【００３０】  この様にして形成のカッター７を蓋３にビス類や接着等で取り付ける。取付け位置としては、図１〜３に示す様に、紐穴５とは反対側の部分に取り付けた。また、その取付けの向きとしては、細長状のスリット６の切込み方向に対し刃８が大略直角状に交わる向きとなる様に取り付けると切断し易い。なお、カッター７は別途製作し取り付けたが、刃８を蓋３の製作時に一体成型等の方法等で保持固定させカッターを形成させても特に支障ない。【００３１】  板状フック１４としては、図７に示す板状のＬ字形状のものを使用した。これに達磨形をした係止穴１６とビス穴１８とを設け、図１〜図５に示す様に、本体４に取り付ける。その取付け位置としては、蓋３に設けた紐穴５と反対側となる本体４の底面部分であって、係止穴１６を設けた面が本体４の底面と向き合う形になる様に取り付ける。その際、板状フック１４の係止穴１６を設けた面と本体４の底面との間には、図２や図５に示す様に、ベルト類が挿入可能なベルトスペース１５を設ける様に取り付ける。【００３２】  以上の様にして形成の本考案の携帯式紐収納容器の使用方法及び特長等について以下説明する。【００３３】  まず、図５に示す様に、容器１の本体４の中へ、玉状に巻かれた荷造り用の紐２を入れ蓋３を被せ、蓋３に設けた紐穴５から紐２を引出す。本体４と蓋３とは蝶ナット２０で緊結し図１の考案品を形成する。そのあと、紐穴５から紐２を必要長さ引出しカッター７で切断する。【００３４】  切断は、図９に示す要領で行う。即ち、紐穴５から出ている紐２を紐２Ａの様に上方へ必要長さ引出す。引出したら、紐２Ａをスリット６にあてがいながら矢印Ｇの方向へ倒し紐２Ｂの状態にする。そうすると、紐２はスリット６に挟まれロック状態となりそれ以上出て来ない。ロックされたら、紐２Ｂを矢印Ｈの方向へ略水平移動し保持部１０と保護部１１との間に設けたガイドスペース１２からカッター７の中へ挿入する。挿入したら、紐２をカッター７内の刃８へ押し付ける様にしながら２Ｃの位置まで横移動し切断する。【００３５】  引続き紐を再度切断したい時は、切断されてカッター７と紐穴５の間に残った紐２を上方へ２Ａの状態まで起こす。そうすればスリット６でのロック状態は解除されるので、２Ａの状態でまた必要長さの紐を上方へ引出し、上述の手順を繰返して必要長さの紐を切断する。本体４の中の玉状の紐２を使ってしまったら、蝶ナット２０を緩め蓋３を開けて新しい玉状の紐２を入れて上述の要領で再度使用する。【００３６】  本考案品は、図１の様な状態で台や床等に置いて使ってもよいし、本体４等を手で持った状態でも使える。また、板状フック１４に設けた係止穴１６を利用し壁の釘やビス、鋲類等に係止し使用することも出来る。図１０に、板状フック１４の係止穴１６に壁２３のビス１９Ａを係止し使用の実施例を示す。【００３７】  更には、板状フック１４で形成したベルトスペース１５を利用し、腰のベルト等に係止携行も出来る。この腰ベルト２２に係止の実施例図を図１１に示す（なお、係止状況をわかり易く示す為に、図には腰ベルト２２のみを示しそれを腰に装着の人物は省略）。この様に腰ベルト２２に係止し携行の場合、紐穴５、スリット６、カッター７、板状フック１４の位置関係がよいので、片手だけでも紐２の引出しや切断が出来、移動しながらの作業も大変スムーズに行える。
【実施例２】
【００３８】  本実施例は、実施例１の考案品に更に吊下げ用金具２１を取り付けた実施例である。その実施例の斜視図を図１２に示す。
この吊下げ用金具２１を取り付けた結果、実施例１の考案品の使い易さや特徴に加え、指や棒状物、突起状物、天井面等のフック類等へも容易に係止出来る様になり使い勝手が更に向上した。
【図面の簡単な説明】
【００３９】
【図１】実施例１に示した本考案品の斜視図。
【図２】実施例１に示した本考案品の正面図。
【図３】実施例１に示した本考案品の平面図。
【図４】実施例１に示した本考案品の底面図。
【図５】実施例１に示した本考案品のＸ−Ｘ′視野での断面図。
【図６】本考案実施例で使用の紐穴とスリットの平面図。
【図７】本考案実施例で使用の板状フックの斜視図。
【図８】本考案実施例で使用のカッターの斜視図。
【図９】カッターでの紐切断要領図。
【図１０】係止穴を使用し壁面に係止した実施例図。
【図１１】板状フックにて腰ベルトに係止した実施例図。
【図１２】実施例２に示した本考案品の斜視図。
【符号の説明】
【００４０】１、  容器
２、２Ａ、２Ｂ、２Ｃ、  紐
３、  蓋
４、  本体
５、  紐穴
６、  スリット
７、  カッター
８、  刃
９、  刃先
１０、  保持部
１１、  保護部
１２、  ガイドスペース
１３、  ドーム状切込み
１４、  板状フック
１５、  ベルトスペース
１６、  係止穴
１７、  ボルト穴
１８、  ビス穴
１９、１９Ａ、  ビス
２０、  蝶ナット
２１、  吊下げ用金具
２２、  腰ベルト
２３、  壁
【図１】
0003134389.tif 000003
【図２】
0003134389.tif 000004
【図３】
0003134389.tif 000005
【図４】
0003134389.tif 000006
【図５】
0003134389.tif 000007
【図６】
0003134389.tif 000008
【図７】
0003134389.tif 000009
【図８】
0003134389.tif 000010
【図９】
0003134389.tif 000011
【図１０】
0003134389.tif 000012
【図１１】
0003134389.tif 000013
【図１２】
0003134389.tif 000014